(57)【要約】【課題】複数チャンネルの画像信号を切り換えて、記録媒体に記録しつつ一部のチャンネルの画像信号を他のチャンネルに比べて高い配信レートで外部へ送信することが出来る画像記録／送信装置１を提供する。【解決手段】本発明に係る画像記録／送信装置１は、所定の記録周期で複数のチャンネルの画像信号を順次、記録媒体としてのハードディスク装置18に記録すると共に、各記録周期に高配信レートチャンネルの画像信号を外部へ送信する一方、各記録周期に高配信レートチャンネル以外の複数の低配信レートチャンネルの一部のチャンネルの画像信号を外部へ送信して、複数回の記録周期で前記複数の低配信レートチャンネルの画像信号を順次、外部へ送信する。【選択図】図２
2007124165.tif 000002
【特許請求の範囲】
【請求項１】
複数チャンネルの画像信号をマルチプレクサ機能により切り換えて記録媒体に記録しつつ外部へ送信することが可能な画像記録／送信装置において、前記複数のチャンネルの一部のチャンネルの画像信号を他のチャンネルに比べて高い配信レートで外部へ送信することが可能であって、所定の記録周期で前記複数のチャンネルの画像信号を順次、記録媒体に記録すると共に、各記録周期に高配信レートチャンネルの画像信号を外部へ送信する一方、各記録周期に高配信レートチャンネル以外の複数の低配信レートチャンネルの一部のチャンネルの画像信号を外部へ送信して、複数回の記録周期で前記複数の低配信レートチャンネルの画像信号を順次、外部へ送信することを特徴とする画像記録／送信装置。
【請求項２】
フィールド周期でフィールド単位の画像信号の記録及び送信を行なうことが可能であって、前記記録周期が複数のフィールド期間から構成され、各記録周期の少なくとも１つのフィールド期間に高配信レートチャンネルの画像信号を外部へ送信する一方、各記録周期の前記フィールド期間以外の少なくとも１つのフィールド期間に複数の低配信レートチャンネルの一部のチャンネルの画像信号を外部へ送信する請求項１に記載の画像記録／送信装置。
【請求項３】
前記記録周期は２フィールド期間から構成され、各記録周期の一方のフィールド期間に、前記複数のチャンネルの１つのチャンネルの画像信号を記録媒体に記録すると共に、該１つのチャンネルが低配信レートチャンネルである場合には該低配信レートチャンネルの画像信号を外部へ送信し、他方のフィールド期間に、高配信レートチャンネルの画像信号を外部へ送信する請求項２に記載の画像記録／送信装置。
【請求項４】
前記記録周期は４フィールド以上の偶数のフィールド期間から構成され、各記録周期の第１フィールド期間に、前記複数のチャンネルの１つのチャンネルの画像信号を記録媒体に記録し、第２フィールド期間以降に、低配信レートチャンネルの画像信号と高配信レートチャンネルの画像信号とを交互に外部へ送信する請求項２に記載の画像記録／送信装置。
【請求項５】
前記第１フィールド期間に、画像信号を記録媒体に記録するチャンネルが高配信レートチャンネルである場合には、該高配信レートチャンネルの画像信号を外部へ送信する請求項４に記載の画像記録／送信装置。
【請求項６】
複数チャンネルの画像信号をマルチプレクサ機能により切り換えて記録媒体に記録しつつ外部へ送信する画像記録／送信方法において、前記複数のチャンネルの一部のチャンネルの画像信号を他のチャンネルに比べて高い配信レートで外部へ送信することが可能であって、所定の記録周期で前記複数のチャンネルの画像信号を順次、記録媒体に記録すると共に、各記録周期に高配信レートチャンネルの画像信号を外部へ送信する一方、各記録周期に高配信レートチャンネル以外の複数の低配信レートチャンネルの一部のチャンネルの画像信号を外部へ送信して、複数回の記録周期で前記複数の低配信レートチャンネルの画像信号を順次、外部へ送信することを特徴とする画像記録／送信方法。
【発明の詳細な説明】
【技術分野】
【０００１】
本発明は、複数チャンネルの画像信号をマルチプレクサ機能により切り換えて記録媒体に記録しつつ外部へ送信することが可能な画像記録／送信装置及び画像記録／送信方法に関するものである。
【背景技術】
【０００２】
従来、図２１に示す如く、複数台のカメラ(２)をマルチプレクサ対応型の画像記録／送信装置(４)に接続してなる監視システムが知られている。
該監視システムにおいて、画像記録／送信装置(４)は複数チャンネルの画像入力端子及びモニタ出力端子を具え、各画像入力端子にカメラ(２)が接続されると共に、モニタ出力端子にモニタ装置(３)が接続される。又、画像記録／送信装置(４)は、ネットワーク出力端子を具え、ネットワーク(６)に接続される。
画像記録／送信装置(４)は、複数チャンネルの画像入力端子からの画像信号をマルチプレクサ機能により切り換えて、各カメラ(２)からの画像信号を内蔵のハードディスク装置に記録する。又、画像記録／送信装置(４)は、複数台のカメラ(２)からの画像信号に基づき複数の画像からなるモニタ画を表わすモニタ画信号を作成してモニタ出力端子からモニタ装置(３)に出力すると共に、ハードディスク装置に記録されている画像信号をモニタ出力端子からモニタ装置(３)に出力する。更に、画像記録／送信装置(４)は、各カメラ(２)からの画像信号をネットワーク出力端子からネットワークへ送信すると共に、ハードディスク装置に記録されている画像信号をネットワーク出力端子からネットワークへ送信する。
【０００３】
ところで、上記従来の画像記録／送信装置(４)は、画像信号をハードディスク装置に記録しつつネットワークへ送信することが可能であるが、ハードディスク装置に記録する画像信号、或いはモニタ装置に出力する画像信号をネットワークへ送信していたに過ぎず、ネットワークへ画像信号を送信することの出来るチャンネルが、ハードディスク装置に記録される画像信号のチャンネル、或いはモニタ装置に出力される画像信号のチャンネルに限定される問題があった。
そこで、ハードディスク装置に記録する画像信号を切り換える回路と、ネットワークへ送信する画像信号を切り換える回路とを設けて、記録用の画像信号とネットワーク出力用の画像信号とを別々のデータラインで夫々ハードディスク装置及びネットワークへ出力する画像記録／送信装置が知られているが、該画像記録／送信装置においては、回路構成が複雑になると共に、製品のコストが高くなる問題があった。
そこで、出願人は、複数チャンネルの画像信号を切り換えて、記録用の画像信号とネットワーク出力用の画像信号とを同じでデータラインで夫々ハードディスク装置及びネットワークへ出力することが可能な画像記録／送信装置を出願中である(特許文献１参照)。
【０００４】
図２２は、出願人が出願中の画像記録／送信装置(５)の構成を表わしている。該画像記録／送信装置(５)は、複数チャンネルの画像入力端子(51)、モニタ出力端子(52)及びネットワーク出力端子(53)を具え、各画像入力端子(51)にカメラが接続されると共に、モニタ出力端子(52)にモニタ装置が接続される。又、ネットワーク出力端子(53)は、ネットワークに接続される。
該画像記録／送信装置(５)において、複数チャンネルの画像入力端子(51)からの画像信号は、マルチプレクサ処理回路(54)を構成する入力処理回路(541)に入力されて、一旦メモリ(55)に格納され、その後、記録用／ネット用画像信号作成回路(542)及びモニタ画信号作成回路(543)によって読み出される。
【０００５】
記録用／ネット用画像信号作成回路(542)では、読み出した画像信号から所定フォーマットの記録用／ネット用画像信号が作成され、作成された画像信号は信号合成回路(545)に供給される。又、画像識別信号作成回路(544)では、チャンネル識別情報と、画像信号が記録用或いはネットワーク出力用の何れであるかを表わす用途情報とを含む画像識別信号が作成され、作成された画像識別信号は前記信号合成回路(545)に供給される。信号合成回路(545)では、前記画像信号の垂直ブランキング期間に前記画像識別信号が重畳されて、画像処理回路(57)を構成する信号分離回路(571)に供給される。
一方、前記モニタ画信号作成回路(543)では、読み出した画像信号からモニタ画信号が作成され、作成された信号は画像処理回路(57)を構成するモニタ画出力処理回路(576)に供給される。
【０００６】
上記マルチプレクサ処理回路(54)を構成する入力処理回路(541)、記録用／ネット用画像信号作成回路(542)、モニタ画信号作成回路(543)、画像識別信号作成回路(544)、及び信号合成回路(545)には、第１マイクロコンピュータ(56)が接続されており、第１マイクロコンピュータ(56)によって、これらの回路(541)(542)(543)(544)(545)の動作が制御されている。
【０００７】
画像処理回路(57)の信号分離回路(571)では、画像信号と画像識別信号とが分離され、分離された画像識別信号は第２マイクロコンピュータ(59)に供給されて、前記画像信号が記録用或いはネットワーク出力用の何れであるかが判断される。画像信号が記録用である場合には、該画像信号は信号圧縮／伸張回路(574)に供給されて圧縮された後、記録／再生処理回路(575)に供給されてハードディスク装置(58)に記録される。又、画像信号がネットワーク出力用である場合には、該画像信号は信号圧縮回路(572)に供給されて圧縮された後、ネット画出力処理回路(575)を経てネットワーク出力端子(53)からネットワークに出力される。
【０００８】
上述の如くモニタ画出力処理回路(576)に供給されたモニタ画信号は、モニタ出力端子(52)からモニタ装置に出力される。
又、上述の如くハードディスク装置(58)に記録された画像信号は、記録／再生処理回路(575)によって読み出され、読み出された画像信号は、信号圧縮／伸張回路(574)に供給されて伸張された後、モニタ画出力処理回路(576)を経てモニタ出力端子(52)からモニタ装置に出力される。又、前記読み出された画像信号は、信号圧縮／伸張回路(574)による伸張処理を受けることなく圧縮状態でネット画出力処理回路(573)に供給され、ネットワーク出力端子(53)からネットワークに出力される。
上記画像処理回路(57)を構成する信号分離回路(571)、信号圧縮回路(572)、ネット画出力処理回路(573)、信号圧縮／伸張回路(574)、記録／再生処理回路(575)及びモニタ画出力処理回路(576)には、前記第２マイクロコンピュータ(59)が接続されており、第２マイクロコンピュータ(59)によって、これらの回路(571)(572)(573)(574)(575)(576)の動作が制御されている。
【０００９】
上記画像記録／送信装置(５)においては、マルチプレクサ処理回路(54)から画像処理回路(57)に、複数チャンネルの画像信号が順次、所定の記録周期で記録用として出力されると共に、記録用として送信される期間以外に前記複数チャンネルの画像信号が順次、ネットワーク出力用として出力される。
図２３は、ＮＴＳＣ方式の画像記録／送信装置において、各カメラから６０ＦＰＳ(フィールド／秒)のレートで入力された画像信号を３０ＦＰＳの記録レートでハードディスク装置に記録する場合の画像出力タイミングを表わしている。図示の如く、１〜６チャンネルの画像信号が順次、１／３０秒の周期の第１フィールド期間に記録用として画像処理回路(57)に出力され、第２フィールド期間にネットワーク出力用として画像処理回路(57)に出力される。
【００１０】
【特許文献１】特願２００４−７９２４６号明細書[G06F 13/00]
【発明の開示】
【発明が解決しようとする課題】
【００１１】
しかしながら、上記従来の画像記録／送信装置(５)においては、全てのチャンネルの画像信号が同じ配信レートでネットワークに送信されるに過ぎず、一部のチャンネルの画像信号を他のチャンネルに比べて高い配信レートで送信することが出来なかった。
そこで本発明の目的は、複数チャンネルの画像信号を切り換えて、記録媒体に記録しつつ一部のチャンネルの画像信号を他のチャンネルに比べて高い配信レートで外部へ送信することが出来る画像記録／送信装置及び画像記録／送信方法を提供することである。
【課題を解決するための手段】
【００１２】
本発明に係る画像記録／送信装置は、所定の記録周期で前記複数のチャンネルの画像信号を順次、記録媒体に記録すると共に、各記録周期に高配信レートチャンネルの画像信号を外部へ送信する一方、各記録周期に高配信レートチャンネル以外の複数の低配信レートチャンネルの一部のチャンネルの画像信号を外部へ送信して、複数回の記録周期で前記複数の低配信レートチャンネルの画像信号を順次、外部へ送信する。
【００１３】
上記本発明に係る画像記録／送信装置においては、高配信レートチャンネルの画像信号は記録周期毎に外部に送信されるのに対し、複数の低配信レートチャンネルの画像信号は、各記録周期に一部のチャンネルの画像信号を送信することによって複数回の記録周期で順次、外部へ送信されるので、高配信レートチャンネルの画像信号は、低配信レートチャンネルに比べて高い配信レートで外部へ送信されることになる。
【００１４】
具体的には、フィールド周期でフィールド単位の画像信号の記録及び送信を行なうことが可能であって、前記記録周期が複数のフィールド期間から構成され、各記録周期の少なくとも１つのフィールド期間に高配信レートチャンネルの画像信号を外部へ送信する一方、各記録周期の前記フィールド期間以外の少なくとも１つのフィールド期間に複数の低配信レートチャンネルの一部のチャンネルの画像信号を外部へ送信する。
【００１５】
第１の具体的構成においては、前記記録周期は２フィールド期間から構成され、各記録周期の一方のフィールド期間に、前記複数のチャンネルの１つのチャンネルの画像信号を記録媒体に記録すると共に、該１つのチャンネルが低配信レートチャンネルである場合には該低配信レートチャンネルの画像信号を外部へ送信し、他方のフィールド期間に、高配信レートチャンネルの画像信号を外部へ送信する。
【００１６】
上記第１の具体的構成においては、記録周期を構成する２フィールド期間の一方のフィールド期間に複数のチャンネルの１つのチャンネルの画像信号が記録媒体に記録されるので、複数のチャンネルの画像信号が順次、２フィールドの周期で記録媒体に記録されることとなる。従って、チャンネル数が奇数であるか偶数であるかに拘らず、各チャンネルの記録周期が偶数のフィールド周期となり、１フレームの画像が例えば奇数フィールドと偶数フィールドの２フィールドの画像信号から構成される場合には、全てのチャンネルについて、常に奇数フィールド及び偶数フィールドの何れか一方のフィールドの画像信号が記録媒体に記録されることになる。又、低配信レートチャンネルについては、常に該一方のフィールドの画像信号が外部へ送信されることになる。これに対し、高配信レートチャンネルについては、記録周期を構成する２フィールド期間の他方のフィールド期間に画像信号の送信が行なわれるので、常に他方のフィールドの画像信号が外部へ送信されることになる。
仮に奇数フィールドの画像信号と偶数フィールドの画像信号を交互にモニタ装置に出力した場合、モニタ画面に表示される画像が上下に振動することになるが、上記第１の具体的構成においては、上述の如く、常に同じフィールドの画像信号が記録媒体に記録されるので、記録媒体に記録されている画像信号を再生してモニタ装置に出力した場合に、モニタ画面に表示される画像が上下に振動することはない。又、常に同じフィールドの画像信号が外部へ送信されるので、送信された画像信号をモニタ装置に供給した場合に、モニタ画面に表示される画像が上下に振動することはない。
【００１７】
第２の具体的構成においては、前記記録周期は４フィールド以上の偶数のフィールド期間から構成され、各記録周期の第１フィールド期間に、前記複数のチャンネルの１つのチャンネルの画像信号を記録媒体に記録し、第２フィールド期間以降に、低配信レートチャンネルの画像信号と高配信レートチャンネルの画像信号とを交互に外部へ送信する。
【００１８】
上記第２の具体的構成においては、記録周期を構成する２ｎ(ｎは１以上の整数)のフィールド期間の内、第１フィールド期間に複数のチャンネルの１つのチャンネルの画像信号が記録媒体に記録されるので、複数のチャンネルの画像信号が順次、２ｎフィールドの周期で記録媒体に記録されることとなる。従って、チャンネル数が奇数であるか偶数であるかに拘らず、各チャンネルの記録周期が偶数のフィールド周期となり、１フレームの画像が例えば奇数フィールドと偶数フィールドの２フィールドの画像信号から構成される場合には、全てのチャンネルについて、常に奇数フィールド及び偶数フィールドの何れか一方のフィールドの画像信号が記録媒体に記録されることになる。
又、第２フィールド期間以降には、低配信レートチャンネルの画像信号と高配信レートチャンネルの画像信号が交互に外部へ送信されるので、複数の低配信レートチャンネルの画像信号は順次、２フィールド或いは４フィールドの周期で外部へ送信されることとなる。従って、各低配信レートチャンネルの記録周期が偶数のフィールド周期となり、全ての低配信レートチャンネルについて、常に奇数フィールド及び偶数フィールドの何れか一方のフィールドの画像信号が外部へ送信されることになる。又、高配信レートチャンネルについては、２フィールド或いは４フィールドの周期で画像信号の送信が行なわれることになるので、常に他方のフィールドの画像信号が外部へ送信されることになる。
上記第２の具体的構成においては、上述の如く、常に同じフィールドの画像信号が記録媒体に記録されるので、記録媒体に記録されている画像信号を再生してモニタ装置に出力した場合に、モニタ画面に表示される画像が上下に振動することはない。又、常に同じフィールドの画像信号が外部へ送信されるので、送信された画像信号をモニタ装置に供給した場合に、モニタ画面に表示される画像が上下に振動することはない。
【００１９】
又、具体的には、前記第１フィールド期間に、画像信号を記録媒体に記録するチャンネルが高配信レートチャンネルである場合には、該高配信レートチャンネルの画像信号を外部へ送信する。
該具体的構成によれば、高配信レートチャンネルの画像信号をより高い配信レートで外部へ送信することが出来る。
【発明の効果】
【００２０】
本発明に係る画像記録／送信装置及び画像記録／送信方法によれば、複数チャンネルの画像信号を切り換えて、記録媒体に記録しつつ一部のチャンネルの画像信号を他のチャンネルに比べて高い配信レートで外部へ送信することが出来る。
【発明を実施するための最良の形態】
【００２１】
以下、本発明を図１に示す監視システムに実施した形態につき、図面に沿って具体的に説明する。尚、以下では、ＮＴＳＣ方式の監視システムについて説明するが、ＰＡＬ方式の監視システムについても同様に実施可能である。
図示の如く、画像記録／送信装置(１)には、従来と同様に、ＮＴＳＣ方式の複数台のカメラ(２)が接続されると共にモニタ装置(３)が接続されており、複数台のカメラ(２)からの画像信号がマルチプレクサ機能によって切り換えられて、記録媒体となるハードディスク装置に記録される。又、複数台のカメラ(２)からの画像信号に基づき複数の画像からなるモニタ画を表わすモニタ画信号が作成されてモニタ装置(３)に出力されると共に、ハードディスク装置に記録されている画像信号がモニタ装置(３)に出力される。
更に、上記画像記録／送信装置(１)は、ネットワークに接続されており、複数台のカメラ(２)からの画像信号をネットワーク出力端子からネットワークに送信すると共に、ハードディスク装置に記録されている画像信号をネットワーク出力端子からネットワークに送信する。
【００２２】
図２は、上記画像記録／送信装置(１)の構成を表わしている。該画像記録／送信装置(１)は、複数チャンネルの画像入力端子(11)、モニタ出力端子(12)及びネットワーク出力端子(13)を具え、各画像入力端子(11)にカメラが接続されると共に、モニタ出力端子(12)にモニタ装置が接続される。又、ネットワーク出力端子(13)は、ネットワークに接続される。
各カメラからは、奇数フィールドの画像信号と偶数フィールドの画像信号が６０ＦＰＳのレートで交互に出力され、画像記録／送信装置(１)の画像入力端子(11)に入力される。該画像記録／送信装置(１)において、複数チャンネルの画像入力端子(11)からの画像信号は、マルチプレクサ処理回路(14)を構成する入力処理回路(141)に入力されて、一旦メモリ(15)に格納され、その後、記録用／ネット用画像信号作成回路(142)及びモニタ画信号作成回路(143)によって読み出される。ここで、画像信号の読出しは、１／６０秒のフィールド周期で発生する垂直同期信号に同期させて行なわれ、奇数フィールドの画像信号と偶数フィールドの画像信号とが交互に読み出される。
【００２３】
記録用／ネット用画像信号作成回路(142)では、読み出した画像信号から所定フォーマットの記録用／ネット用画像信号が作成され、作成された画像信号は信号合成回路(145)に供給される。又、画像識別信号作成回路(144)では、チャンネル識別情報と、画像信号が記録用、ネットワーク出力用、或いは記録及びネットワーク出力用の何れであるかを表わす用途情報とを含む画像識別信号が作成され、作成された画像識別信号は前記信号合成回路(145)に供給される。信号合成回路(145)では、前記画像信号の垂直ブランキング期間に前記画像識別信号が重畳されて、画像処理回路(17)を構成する信号分離回路(171)に供給される。
一方、前記モニタ画信号作成回路(143)では、読み出した画像信号からモニタ画信号が作成され、作成された信号は画像処理回路(17)を構成するモニタ画出力処理回路(176)に供給される。
【００２４】
上記マルチプレクサ処理回路(14)を構成する入力処理回路(141)、記録用／ネット用画像信号作成回路(142)、モニタ画信号作成回路(143)、画像識別信号作成回路(144)、及び信号合成回路(145)には、第１マイクロコンピュータ(16)が接続されており、第１マイクロコンピュータ(16)によって、これらの回路(141)(142)(143)(144)(145)の動作が制御されている。
【００２５】
画像処理回路(17)の信号分離回路(171)では、画像信号と画像識別信号とが分離され、分離された画像識別信号は第２マイクロコンピュータ(19)に供給されて、前記画像信号が記録用、ネットワーク出力用、或いは記録及びネットワーク出力用の何れであるかが判断される。画像信号が記録用である場合には、該画像信号は信号圧縮／伸張回路(174)に供給されて圧縮された後、記録／再生処理回路(175)に供給されてハードディスク装置(18)に記録される。又、画像信号がネットワーク出力用である場合には、該画像信号は信号圧縮回路(172)に供給されて圧縮された後、ネット画出力処理回路(175)を経てネットワーク出力端子(13)からネットワークに出力される。更に、画像信号が記録及びネットワーク出力用である場合には、該画像信号は、信号圧縮／伸張回路(174)及び記録／再生処理回路(175)を経てハードディスク装置(18)に記録されると共に、信号圧縮回路(172)及びネット画出力処理回路(173)を経てネットワーク出力端子(13)からネットワークに出力される。
【００２６】
上述の如くモニタ画出力処理回路(176)に供給されたモニタ画信号は、モニタ出力端子(12)からモニタ装置に出力される。
又、上述の如くハードディスク装置(18)に記録された画像信号は、記録／再生処理回路(175)によって読み出され、読み出された画像信号は、信号圧縮／伸張回路(174)に供給されて伸張された後、モニタ画出力処理回路(176)を経てモニタ出力端子(12)からモニタ装置に出力される。又、前記読み出された画像信号は、信号圧縮／伸張回路(174)による伸張処理を受けることなく圧縮状態でネット画出力処理回路(173)に供給され、ネットワーク出力端子(13)からネットワークに出力される。
上記画像処理回路(17)を構成する信号分離回路(171)、信号圧縮回路(172)、ネット画出力処理回路(173)、信号圧縮／伸張回路(174)、記録／再生処理回路(175)及びモニタ画出力処理回路(176)には、前記第２マイクロコンピュータ(19)が接続されており、第２マイクロコンピュータ(19)によって、これらの回路(171)(172)(173)(174)(175)(176)の動作が制御されている。
【００２７】
上記画像記録／送信装置(１)は、複数台のカメラからの複数チャンネルの画像信号を切り換えて、ハードディスク装置(18)に記録しつつネットワーク出力端子(13)からネットワークに送信することが可能であって、ユーザは、記録送信動作を開始させる前に、予め記録レートを６０ＦＰＳ、３０ＦＰＳ、２０ＦＰＳ及び１５ＦＰＳの何れかのレートに設定する。尚、２０ＦＰＳの記録レートは、後述の如く１５ＦＰＳでの記録動作と３０ＦＰＳでの記録動作が交互に繰り返されることによって実現される。
又、上記画像記録／送信装置(１)は、前記複数の全てのチャンネルの画像信号を同じ配信レートでネットワークに送信する通常送信モードと、複数チャンネルの内、１つのチャンネルの画像信号を他のチャンネルに比べて高い配信レートでネットワークに送信する特殊送信モードとの間で送信モードを切り換えることが可能であって、ユーザは、通常送信モード及び特殊送信モードの何れかのモードを設定し、特殊送信モードを設定した場合には画像信号を高い配信レートでネットワークに送信する高配信レートチャンネルのチャンネル番号を入力する。
【００２８】
図３及び図４は、上記第１マイクロコンピュータ(16)によって実行される画像出力制御手続きを表わしている。尚、該手続きは、１／６０秒のフィールド周期で繰り返し実行される。
先ずステップＳ１では、後述の初期設定が終了しているか否かを表わす初期設定済みフラグが“１”の値であるか否かを判断し、画像記録送信動作が開始された後の初回の判断時にはノーと判断されてステップＳ２に移行する。
【００２９】
ステップＳ２では、初期設定を行なうと共に初期設定済みフラグを“１”の値に設定する。初期設定処理においては、記録周期Ａを設定する処理、記録周期カウンタのカウント値Ｃを“０”に初期化する処理、入力チャンネル数Ｎを設定する処理、画像信号の記録を行なう記録チャンネル番号Ｒを“１”に初期化する処理、画像信号をネットワークに送信するネットワークチャンネル番号Ｌを“１”に初期化する処理、高配信レートチャンネル番号Ｂを設定する処理、及び記録レートを３０ＦＰＳと１５ＦＰＳの何れのレートに設定すべきかを表わす記録周期フラグを“０”に初期化する処理を行なう。上記記録周期Ａは、記録レートが６０ＦＰＳである場合に“１”、３０ＦＰＳである場合に“２”、２０ＦＰＳである場合に“３”及び１５ＦＰＳである場合に“４”に設定される。又、通常送信モードが設定されている場合には、高配信レートチャンネル番号Ｂは“０”に設定される。
上述の如く初期設定が行なわれた後、ステップＳ３に移行する。
【００３０】
ステップＳ３では、記録周期カウンタのカウント値Ｃが“０”であるか否かを判断する。記録周期の第１フィールド期間には、イエスと判断されてステップＳ４に移行し、記録周期Ａが“３”であるか否かを判断する。
記録レートが２０ＦＰＳである場合には、ステップＳ４にてイエスと判断されてステップＳ１０に移行し、記録周期フラグを反転した後、ステップＳ１１にて、記録周期フラグが記録レートを１５ＦＰＳに設定すべきことを表わす“１”であるか否かを判断する。ここでイエスと判断された場合には、ステップＳ１２にて記録周期カウンタのカウント値Ｃを記録周期Ａに“１”を加算した値(Ａ＋１)、即ち“４”に設定した後、ステップＳ２０に移行する一方、ステップＳ１１にてノーと判断された場合には、ステップＳ１３にて記録周期カウンタのカウント値Ｃを記録周期Ａから“１”を減算した値(Ａ−１)、即ち“２”に設定した後、ステップＳ２０に移行する。
【００３１】
記録レートが６０ＦＰＳ、３０ＦＰＳ、或いは１５ＦＰＳである場合には、上記ステップＳ４にてノーと判断されてステップＳ５に移行し、記録周期Ａが“１”であるか否かを判断する。
記録レートが６０ＦＰＳである場合には、ステップＳ６に移行して、記録周期カウンタのカウント値Ｃを記録周期Ａの値、即ち“１”に設定し、次にステップＳ２４では、記録チャンネル番号Ｒの画像信号を送信すべき旨をマルチプレクサ処理回路の記録用／ネット用画像信号作成回路に指令すると共に、記録及びネットワーク出力用を表わす用途情報を含む画像識別信号を送信すべき旨を画像識別信号作成回路に指令した後、ステップＳ３９に移行する。この結果、図２に示すマルチプレクサ処理回路(14)から画像処理回路(17)に対して、記録チャンネル番号Ｒの画像信号に記録及びネットワーク出力用を表わす用途情報を含む画像識別信号が重畳されて送信されることになる。
【００３２】
記録レートが３０ＦＰＳ或いは１５ＦＰＳである場合には、図３のステップＳ５にてノーと判断されてステップＳ１９に移行し、記録周期カウンタのカウント値Ｃを記録周期Ａの値、即ち記録レートが３０ＦＰＳである場合は“２”、記録レートが１５ＦＰＳである場合は“４”に設定した後、ステップＳ２０に移行する。
【００３３】
ステップＳ２０では、高配信レートチャンネル番号Ｂが“０”であるか否かを判断し、通常送信モードが設定されている場合には、イエスと判断されてステップＳ３７に移行し、記録チャンネル番号Ｒの画像信号を送信すべき旨をマルチプレクサ処理回路の記録用／ネット用画像信号作成回路に指令すると共に、記録用を表わす用途情報を含む画像識別信号を送信すべき旨を画像識別信号作成回路に指令した後、ステップＳ３９に移行する。この結果、図２のマルチプレクサ処理回路(14)から画像処理回路(17)に対して、記録チャンネル番号Ｒの画像信号に記録用を表わす用途情報を含む画像識別信号が重畳されて送信されることになる。
【００３４】
特殊送信モードが設定されている場合には、図３のステップＳ２０にてノーと判断されてステップＳ２１に移行し、記録周期Ａが“２”であるか否かを判断する。
記録レートが３０ＦＰＳである場合には、ステップＳ２３に移行して、記録チャンネル番号Ｒと高配信レートチャンネル番号Ｂが一致するか否かを判断し、ノーと判断された場合はステップＳ３８に移行して、記録チャンネル番号Ｒの画像信号を送信すべき旨をマルチプレクサ処理回路の記録用／ネット用画像信号作成回路に指令すると共に、記録及びネットワーク出力用を表わす用途情報を含む画像識別信号を送信すべき旨を画像識別信号作成回路に指令した後、ステップＳ３９に移行する。この結果、図２のマルチプレクサ処理回路(14)から画像処理回路(17)に対して、記録チャンネル番号Ｒの画像信号に記録及びネットワーク出力用を表わす用途情報を含む画像識別信号が重畳されて送信されることになる。
記録チャンネル番号Ｒと高配信レートチャンネル番号Ｂが一致して図３のステップＳ２３にてイエスと判断された場合には、ステップＳ３７に移行して、記録チャンネル番号Ｒの画像信号を送信すべき旨をマルチプレクサ処理回路の記録用／ネット用画像信号作成回路に指令すると共に、記録用を表わす用途情報を含む画像識別信号を送信すべき旨を画像識別信号作成回路に指令した後、ステップＳ３９に移行する。この結果、図２のマルチプレクサ処理回路(14)から画像処理回路(17)に対して、記録チャンネル番号Ｒの画像信号に記録用を表わす用途情報を含む画像識別信号が重畳されて送信されることになる。
【００３５】
記録レートが２０ＦＰＳ或いは１５ＦＰＳである場合には、図３のステップＳ２１にてノーと判断されてステップＳ２２に移行し、記録チャンネル番号Ｒが高配信レートチャンネル番号Ｂと一致するか否かを判断する。ここでイエスと判断された場合には、ステップＳ３８に移行して、記録チャンネル番号Ｒの画像信号を送信すべき旨をマルチプレクサ処理回路の記録用／ネット用画像信号作成回路に指令すると共に、記録及びネットワーク出力用を表わす用途情報を含む画像識別信号を送信すべき旨を画像識別信号作成回路に指令した後、ステップＳ３９に移行する。この結果、図２のマルチプレクサ処理回路(14)から画像処理回路(17)に対して、記録チャンネル番号Ｒの画像信号に記録及びネットワーク出力用を表わす用途情報を含む画像識別信号が重畳されて送信されることになる。
一方、図３のステップＳ２２にてノーと判断された場合には、ステップＳ３７に移行して、記録チャンネル番号Ｒの画像信号を送信すべき旨をマルチプレクサ処理回路の記録用／ネット用画像信号作成回路に指令すると共に、記録用を表わす用途情報を含む画像識別信号を送信すべき旨を画像識別信号作成回路に指令した後、ステップＳ３９に移行する。この結果、図２のマルチプレクサ処理回路(14)から画像処理回路(17)に対して、記録チャンネル番号Ｒの画像信号に記録用を表わす用途情報を含む画像識別信号が重畳されて送信されることになる。
【００３６】
図３のステップＳ３９では、記録チャンネル番号Ｒが入力チャンネル数Ｎと一致するか否かを判断し、ノーと判断された場合にはステップＳ４０に移行して、記録チャンネル番号Ｒを“１”だけカウントアップした後、ステップＳ４２に移行する一方、ステップＳ３９にてイエスと判断された場合にはステップＳ４１に移行して、記録チャンネル番号Ｒを“１”に初期化した後、ステップＳ４２に移行する。
ステップＳ４２では、ネット用チャンネル配置フラグを“１”に設定する。ここで、該フラグは、通常送信モードが設定されている場合には、チャンネルの画像信号をネットワーク出力用として送信すべき旨、及び空きチャンネルの画像信号を送信すべき旨の何れを指令するかを表わし、特殊送信モードが設定されている場合には、高配信レートチャンネル以外の低配信レートチャンネルの画像信号をネットワーク出力用として送信すべき旨、及び高配信レートチャンネルの画像信号をネットワーク出力用として送信すべき旨の何れを指令するかを表わしている。
続いてステップＳ４３では、記録周期カウンタのカウント値Ｃを“１”だけカウントダウンした後、ステップＳ１に戻る。
【００３７】
記録周期の第２フィールド期間以降には、記録周期カウンタのカウント値Ｃが“０”ではなく、上記ステップＳ３にてノーと判断されて図４のステップＳ７に移行し、記録周期Ａが“２”であるか否かを判断する。
記録レートが２０ＦＰＳ、或いは１５ＦＰＳである場合には、ステップＳ７にてノーと判断されてステップＳ９に移行する。
記録レートが３０ＦＰＳである場合には、ステップＳ７にてイエスと判断されてステップＳ８に移行し、高配信レートチャンネル番号Ｂが“０”であるか否かを判断する。ここで、通常送信モードが設定されている場合には、イエスと判断されてステップＳ９に移行する。
これに対し、特殊送信モードが設定されている場合には、ステップＳ８にてノーと判断されてステップＳ２５に移行し、ネットワークチャンネル番号Ｌを高配信レートチャンネル番号Ｂに設定する。続いてステップＳ２６では、ネットワークチャンネル番号Ｌの画像信号を送信すべき旨をマルチプレクサ処理回路の記録用／ネット用画像信号作成回路に指令すると共に、ネットワーク出力用を表わす用途情報を含む画像識別信号を送信すべき旨を画像識別信号作成回路に指令する。この結果、図２のマルチプレクサ処理回路(14)から画像処理回路(17)に対して、ネットワークチャンネル番号Ｌの画像信号にネットワーク出力用を表わす用途情報を含む画像識別信号が重畳されて送信されることになる。その後、図３のステップＳ４３に移行して、記録周期カウンタのカウント値Ｃを“１”だけカウントダウンした後、ステップＳ１に戻る。
【００３８】
図４のステップＳ９では、ネット用チャンネル配置フラグが“１”であるか否かを判断し、イエスと判断された場合には、ステップＳ１４に移行して、高配信レートチャンネル番号Ｂが“０”であるか否かを判断する。ここで、通常送信モードが設定されている場合には、イエスと判断されてステップＳ３２に移行する。
これに対し、特殊送信モードが設定されている場合には、ステップＳ１４にてノーと判断されてステップＳ１５に移行し、ネットワークチャンネル番号Ｌが高配信レートチャンネル番号Ｂと一致するか否かを判断する。ここで、イエスと判断された場合には、ステップＳ１６に移行して、ネットワークチャンネル番号Ｌが入力チャンネル数Ｎと一致するか否かを判断し、ノーと判断された場合には、ステップＳ１７にてネットワークチャンネル番号Ｌを“１”だけカウントアップした後、ステップＳ１５に戻る一方、イエスと判断された場合には、ステップＳ１８にてネットワークチャンネル番号Ｌを“１”に初期化した後、ステップＳ１５に戻る。その後、ステップＳ１５にてノーと判断されたときに、ステップＳ３２に移行する。
【００３９】
ステップＳ３２では、ネットワークチャンネル番号Ｌの画像信号を送信すべき旨をマルチプレクサ処理回路の記録用／ネット用画像信号作成回路に指令すると共に、ネットワーク出力用を表わす用途情報を含む画像識別信号を送信すべき旨を画像識別信号作成回路に指令する。この結果、図２のマルチプレクサ処理回路(14)から画像処理回路(17)に対して、ネットワークチャンネル番号Ｌの画像信号にネットワーク出力用を表わす用途情報を含む画像識別信号が重畳されて送信されることになる。その後、図４のステップＳ３３に移行して、ネットワークチャンネル番号Ｌが入力チャンネル数Ｎと一致するか否かを判断し、ノーと判断された場合には、ステップＳ３４にてネットワークチャンネル番号Ｌを“１”だけカウントアップした後、ステップＳ３６に移行する一方、イエスと判断された場合には、ステップＳ３５にてネットワークチャンネル番号Ｌを“１”に初期化した後、ステップＳ３６に移行する。ステップＳ３６では、ネット用チャンネル配置フラグを“０”に設定した後、図３のステップＳ４３に移行し、記録周期カウンタのカウント値Ｃを“１”だけカウントダウンした後、ステップＳ１に戻る。
【００４０】
ネット用チャンネル配置フラグが“０”であって図４のステップＳ９にてノーと判断された場合には、ステップＳ２７に移行して、高配信レートチャンネル番号Ｂが“０”であるか否かを判断する。通常送信モードが設定されている場合には、ステップＳ３０に移行して、空きチャンネルの画像信号を送信すべき旨をマルチプレクサ処理回路の記録用／ネット用画像信号作成回路に指令する。従って、図２のマルチプレクサ処理回路(14)から画像処理回路(17)に対して画像信号は送信されない。一方、特殊送信モードが設定されている場合には、図４のステップＳ２７にてノーと判断されてステップＳ２９に移行し、高配信レートチャンネル番号Ｂの画像信号を送信すべき旨をマルチプレクサ処理回路の記録用／ネット用画像信号作成回路に指令すると共に、ネットワーク出力用を表わす用途情報を含む画像識別信号を送信すべき旨を画像識別信号作成回路に指令する。この結果、図２のマルチプレクサ処理回路(14)から画像処理回路(17)に対して、高配信レートチャンネル番号Ｂの画像信号にネットワーク出力用を表わす用途情報を含む画像識別信号が重畳されて送信されることになる。
その後、図４のステップＳ３１では、ネット用チャンネル配置フラグを“１”に設定した後、図３のステップＳ４３に移行し、記録周期カウンタのカウント値Ｃを“１”だけカウントダウンした後、ステップＳ１に戻る。
【００４１】
次に、(Ａ)記録レートが６０ＦＰＳに設定された場合、(Ｂ)記録レートが３０ＦＰＳに設定されると共に通常送信モードが設定された場合、(Ｂ´)記録レートが３０ＦＰＳに設定されると共に特殊送信モードが設定された場合、(Ｃ)記録レートが２０ＦＰＳに設定されると共に通常送信モードが設定された場合、(Ｃ´)記録レートが２０ＦＰＳに設定されると共に特殊送信モードが設定された場合、(Ｄ)記録レートが１５ＦＰＳに設定されると共に通常送信モードが設定された場合、及び(Ｄ´)記録レートが１５ＦＰＳに設定されると共に特殊送信モードが設定された場合のマルチプレクサ処理回路(14)の画像出力動作について、具体的に説明する。
【００４２】
(Ａ)記録レート＝６０ＦＰＳ
図３のステップＳ１〜Ｓ６、Ｓ２４、Ｓ３９〜Ｓ４３の処理が繰り返し実行される。これによって、図５に示す如く、１つのチャンネルの画像信号を記録及びネットワーク出力用として出力する動作が１／６０秒の周期で繰り返される。
【００４３】
図１２は、入力チャンネル数が６である場合の画像出力タイミングを表わしており、１〜６チャンネルの画像信号が順次、記録用及びネットワーク出力用として１／６０秒の周期で画像処理回路(17)に出力される。この結果、１〜６チャンネルの画像信号が順次、６０ＦＰＳの記録レートでハードディスク装置に記録されると共に、１〜６チャンネルの全チャンネルの画像信号が同じ配信レートでネットワークに出力されることになる。
尚、入力チャンネル数が奇数である場合には、全てのチャンネルの画像信号を順次、画像処理回路(17)に出力した後、画像信号を画像処理回路(17)に出力しないフィールド期間が設けられる。これは、仮に該フィールド期間を設けない場合には、各チャンネルの記録周期及び送信周期が奇数のフィールド周期となって、奇数フィールドの画像信号と偶数フィールドの画像信号が交互にハードディスク装置に記録されると共にネットワークへ送信されることになるからである。
図２０は、入力チャンネル数が７である場合の画像出力タイミングを表わしており、１〜７チャンネルの画像信号が順次、記録用及びネットワーク出力用として画像処理回路(17)に出力された後、画像信号が出力されないフィールド期間が設けられる。上述の如く画像信号を出力しないフィールド期間を設けることによって、常に同一フィールドの画像信号をハードディスク装置に記録すると共にネットワークへ送信することが出来る。
【００４４】
(Ｂ)記録レート＝３０ＦＰＳ、通常送信モード
図３のステップＳ１〜Ｓ５、Ｓ１９、Ｓ２０、Ｓ３７、Ｓ３９〜Ｓ４３の処理と、ステップＳ１〜Ｓ３、図４のＳ７〜Ｓ９、Ｓ１４、Ｓ３２〜Ｓ３６、図３のＳ４３の処理とが交互に繰り返し実行される。これによって、図６に示す如く、１つのチャンネルの画像信号を記録用として出力する動作とネットワーク出力用として出力する動作とが１／３０秒の周期で繰り返される。
【００４５】
図１３は、入力チャンネル数が６である場合の画像出力タイミングを表わしており、１〜６チャンネルについて順次、１／３０秒の周期の第１フィールド期間に画像信号が記録用として画像処理回路(17)に出力された後、第２フィールド期間に次フィールドの画像信号がネットワーク出力用として画像処理回路(17)に出力される。この結果、１〜６チャンネルの画像信号が順次、３０ＦＰＳの記録レートでハードディスク装置に記録されると共に、１〜６チャンネルの全チャンネルの画像信号が同じ配信レートでネットワークに出力されることになる。
【００４６】
(Ｂ´)記録レート＝３０ＦＰＳ、特殊送信モード
図３のステップＳ１〜Ｓ５、Ｓ１９〜Ｓ２１、Ｓ２３、Ｓ３７〜Ｓ４３の処理と、ステップＳ１〜Ｓ３、図４のＳ７、Ｓ８、Ｓ２５、Ｓ２６、図３のＳ４３の処理とが交互に繰り返し実行される。これによって、図７に示す如く、１つのチャンネルの画像信号を記録及びネットワーク出力用、或いは記録用として出力する動作と、高配信レートチャンネルの画像信号をネットワーク出力用として出力する動作とが１／３０秒の周期で繰り返される。
【００４７】
図１４は、入力チャンネル数が６であって高配信レートチャンネルが３である場合の画像出力タイミングを表わしており、１／３０秒の周期の第１フィールド期間に、３チャンネル以外のチャンネルの画像信号が記録用及びネットワーク出力用として画像処理回路(17)に出力され、或いは３チャンネルの画像信号が記録用として画像処理回路(17)に出力された後、第２フィールド期間に、３チャンネルの画像信号がネットワーク出力用として画像処理回路(17)に出力される。この結果、１〜６チャンネルの画像信号が順次、３０ＦＰＳの記録レートでハードディスク装置に記録されると共に、３チャンネルの画像信号が他のチャンネルに比べて高い配信レートでネットワークに出力されることになる。
【００４８】
上述のタイミングで１〜６チャンネルの画像信号を出力することによって、これら全てのチャンネルについて常に同一フィールドの画像信号がハードディスク装置に記録されることになる。従って、ハードディスク装置に記録されている画像信号を再生してモニタ装置に出力した場合に、モニタ画面に表示される画像が上下に振動することはない。
又、３チャンネルを含む全てのチャンネルについて、常に同一フィールドの画像信号がネットワークに出力されることになる。従って、ネットワークに出力された画像信号をモニタ装置に供給した場合に、モニタ画面に表示される画像が上下に振動することはない。
【００４９】
(Ｃ)記録レート＝２０ＦＰＳ、通常送信モード
ステップＳ１〜Ｓ４、Ｓ１０〜Ｓ１２、Ｓ２０、Ｓ３７、Ｓ３９〜Ｓ４３の処理、ステップＳ１〜Ｓ３、図４のＳ７、Ｓ９、Ｓ１４、Ｓ３２〜Ｓ３６、図３のＳ４３の処理、ステップＳ１〜Ｓ３、図４のＳ７、Ｓ９、Ｓ２７、Ｓ３０、Ｓ３１、図３のＳ４３の処理、ステップＳ１〜Ｓ３、図４のＳ７、Ｓ９、Ｓ１４、Ｓ３２〜Ｓ３６、図３のＳ４３の処理、ステップＳ１〜Ｓ４、Ｓ１０、Ｓ１１、Ｓ１３、Ｓ２０、Ｓ３７、Ｓ３９〜Ｓ４３の処理、及びステップＳ１〜Ｓ３、図４のＳ７、Ｓ９、Ｓ１４、Ｓ３２〜Ｓ３６、図３のＳ４３の処理からなる一連の処理が繰り返し実行される。これによって、図８に示す如く、１つのチャンネルの画像信号を記録用として出力する動作、１つのチャンネルの画像信号をネットワーク出力用として出力する動作、空きチャンネルの画像信号を出力する動作、１つのチャンネルの画像信号をネットワーク出力用として出力する動作、１つのチャンネルの画像信号を記録用として出力する動作、及び１つのチャンネルの画像信号をネットワーク出力用として出力する動作が繰り返される。ここで、画像信号を記録用として出力する動作は、図示の如く、１／１５秒の周期及び１／３０秒の周期で実行される。
【００５０】
図１５は、入力チャンネル数が６である場合の画像出力タイミングを表わしている。尚、図中の“＊”は、１〜６チャンネルの何れのチャンネルの画像信号も出力されないことを表わしている。図示の如く、１／１５秒の周期の第１フィールド期間に、１チャンネルの画像信号が記録用として画像処理回路(17)に出力された後、第２フィールド期間に、１チャンネルの次フィールドの画像信号がネットワーク出力用として画像処理回路(17)に出力され、その後、第３フィールド期間には画像信号が出力されず、第４フィールド期間に、２チャンネルの画像信号がネットワーク出力用として画像処理回路(17)に出力される。続いて、１／３０秒の周期の第１フィールド期間に、２チャンネルの次フィールドの画像信号が記録用として画像処理回路(17)に出力された後、第２フィールド期間に、３チャンネルの画像信号がネットワーク出力用として画像処理回路(17)に出力される。この様に、１／１５秒の記録周期、及び１／３０秒の記録周期の第１フィールド期間に、１〜６チャンネルの１つのチャンネルの画像信号が記録用として画像処理回路(17)に出力されると共に、１／１５秒の記録周期の第２フィールド期間、第４フィールド期間、及び１／３０秒の記録周期の第２フィールド期間に、１〜６チャンネルの１つのチャンネルの画像信号がネットワーク出力用として画像処理回路(17)に出力される。この結果、１〜６チャンネルの画像信号が順次、平均２０ＦＰＳの記録レートでハードディスク装置に記録されると共に、１〜６チャンネルの全チャンネルの画像信号が同じ配信レートでネットワークに出力されることになる。
尚、上述の如く１５ＦＰＳでの記録動作と３０ＦＰＳでの記録動作が交互に繰り返されるのは、仮に２０ＦＰＳでの記録動作を繰り返した場合には、チャンネル数が奇数である場合に、各チャンネルの記録周期が奇数のフィールド周期となって、奇数フィールドの画像信号と偶数フィールドの画像信号が交互にハードディスク装置に記録されることになるからである。
【００５１】
(Ｃ´)記録レート＝２０ＦＰＳ、特殊送信モード
ステップＳ１〜Ｓ４、Ｓ１０〜Ｓ１２、Ｓ２０〜Ｓ２２、Ｓ３７〜Ｓ４３の処理、ステップＳ１〜Ｓ３、図４のＳ７、Ｓ９、Ｓ１４〜Ｓ１８、Ｓ３２〜Ｓ３６、図３のＳ４３の処理、ステップＳ１〜Ｓ３、図４のＳ７、Ｓ９、Ｓ２７、Ｓ２９、Ｓ３１、図３のＳ４３の処理、ステップＳ１〜Ｓ３、図４のＳ７、Ｓ９、Ｓ１４〜Ｓ１８、Ｓ３２〜Ｓ３６、図３のＳ４３の処理、ステップＳ１〜Ｓ４、Ｓ１０、Ｓ１１、Ｓ１３、Ｓ２０〜Ｓ２２、Ｓ３７〜Ｓ４３の処理、及びステップＳ１〜Ｓ３、図４のＳ７、Ｓ９、Ｓ１４〜Ｓ１８、Ｓ３２〜Ｓ３６、図３のＳ４３の処理からなる一連の処理が繰り返し実行される。これによって、図９に示す如く、１つのチャンネルの画像信号を記録用、或いは記録及びネットワーク出力用として出力する動作、低配信レートチャンネルの画像信号をネットワーク出力用として出力する動作、高配信レートチャンネルの画像信号をネットワーク出力用として出力する動作、低配信レートチャンネルの画像信号をネットワーク出力用として出力する動作、１つのチャンネルの画像信号を記録用、或いは記録及びネットワーク出力用として出力する動作、及び低配信レートチャンネルの画像信号をネットワーク出力用として出力する動作が繰り返される。ここで、画像信号を記録用として出力する動作は、図示の如く、１／１５秒の周期及び１／３０秒の周期で実行される。
【００５２】
図１６は、入力チャンネル数が６であって高配信レートチャンネルが３である場合の画像出力タイミングを表わしている。図示の如く、１／１５秒の周期の第１フィールド期間に、１チャンネルの画像信号が記録用として画像処理回路(17)に出力された後、第２フィールド期間に、１チャンネルの次フィールドの画像信号がネットワーク出力用として画像処理回路(17)に出力され、更に第３フィールド期間に、３チャンネルの画像信号がネットワーク出力用として画像処理回路(17)に出力された後、第４フィールド期間に、２チャンネルの画像信号がネットワーク出力用として画像処理回路(17)に出力される。続いて、１／３０秒の周期の第１フィールド期間に、２チャンネルの次フィールドの画像信号が記録用として画像処理回路(17)に出力された後、第２フィールド期間に、４チャンネルの画像信号がネットワーク出力用として画像処理回路(17)に出力される。この様に、１／１５秒の記録周期、及び１／３０秒の記録周期の第１フィールド期間に、３チャンネル以外の１つのチャンネルの画像信号が記録用として画像処理回路(17)に出力され、或いは３チャンネルの画像信号が記録用及びネットワーク出力用として画像処理回路(17)に出力される。そして、１／１５秒の記録周期の第２フィールド期間、第４フィールド期間、及び１／３０秒の記録周期の第２フィールド期間に、３チャンネル以外の１つのチャンネルの画像信号がネットワーク出力用として画像処理回路(17)に出力され、１／１５秒の記録周期の第３フィールド期間に、３チャンネルの画像信号がネットワーク出力用として画像処理回路(17)に出力される。この結果、１〜６チャンネルの画像信号が順次、平均２０ＦＰＳの記録レートでハードディスク装置に記録されると共に、３チャンネルの画像信号が他のチャンネルに比べて高い配信レートでネットワークに出力されることになる。
【００５３】
上述のタイミングで１〜６チャンネルの画像信号を出力することによって、これら全てのチャンネルについて常に同一フィールドの画像信号がハードディスク装置に記録されることになる。従って、ハードディスク装置に記録されている画像信号を再生してモニタ装置に出力した場合に、モニタ画面に表示される画像が上下に振動することはない。
又、３チャンネルを含む全てのチャンネルについて、常に同一フィールドの画像信号がネットワークに出力されることになる。従って、ネットワークに出力された画像信号をモニタ装置に供給した場合に、モニタ画面に表示される画像が上下に振動することはない。
【００５４】
(Ｄ)記録レート＝１５ＦＰＳ、通常送信モード
図３のステップＳ１〜Ｓ５、Ｓ１９、Ｓ２０、Ｓ３７、Ｓ３９〜Ｓ４３の処理、ステップＳ１〜Ｓ３、図４のＳ７、Ｓ９、Ｓ１４、Ｓ３２〜Ｓ３６、図３のＳ４３の処理、ステップＳ１〜Ｓ３、図４のＳ７、Ｓ９、Ｓ２７、Ｓ３０、Ｓ３１、図３のＳ４３の処理、及びステップＳ１〜Ｓ３、図４のＳ７、Ｓ９、Ｓ１４、Ｓ３２〜Ｓ３６、図４のＳ４３の処理からなる一連の処理が繰り返し実行される。これによって、図１０に示す如く、１つのチャンネルの画像信号を記録用として出力する動作、１つのチャンネルの画像信号をネットワーク出力用として出力する動作、空きチャンネルの画像信号を出力する動作、及び１つのチャンネルの画像信号をネットワーク出力用として出力する動作が１／１５秒の周期で繰り返される。
【００５５】
図１７は、入力チャンネル数が６である場合の画像出力タイミングを表わしている。尚、図中の“＊”は、１〜６チャンネルの何れのチャンネルの画像信号も出力されないことを表わしている。図示の如く、１／１５秒の周期の第１フィールド期間に、１チャンネルの画像信号が記録用として画像処理回路(17)に出力された後、第２フィールド期間に、１チャンネルの次フィールドの画像信号がネットワーク出力用として画像処理回路(17)に出力され、その後、第３フィールド期間には画像信号が出力されず、第４フィールド期間に、２チャンネルの画像信号がネットワーク出力用として画像処理回路(17)に出力される。この様に、１／１５秒の記録周期の第１フィールド期間に、１〜６チャンネルの１つのチャンネルの画像信号が記録用として画像処理回路(17)に出力されると共に、第２フィールド期間及び第４フィールド期間に、１〜６チャンネルの１つのチャンネルの画像信号がネットワーク出力用として画像処理回路(17)に出力される。この結果、１〜６チャンネルの画像信号が順次、１５ＦＰＳの記録レートでハードディスク装置に記録されると共に、１〜６チャンネルの全チャンネルの画像信号が同じ配信レートでネットワークに出力されることになる。
【００５６】
(Ｄ´)記録レート＝１５ＦＰＳ、特殊送信モード
図３のステップＳ１〜Ｓ５、Ｓ１９〜Ｓ２２、Ｓ３７〜Ｓ４３の処理、ステップＳ１〜Ｓ３、図４のＳ７、Ｓ９、Ｓ１４〜Ｓ１８、Ｓ３２〜Ｓ３６、図３のＳ４３の処理、ステップＳ１〜Ｓ３、図４のＳ７、Ｓ９、Ｓ２７、Ｓ２９、Ｓ３１、Ｓ４３の処理、及びステップＳ１〜Ｓ３、図４のＳ７、Ｓ９、Ｓ１４〜Ｓ１８、Ｓ３２〜Ｓ３６、図３のＳ４３の処理からなる一連の処理が繰り返し実行される。これによって、図１１に示す如く、１つのチャンネルの画像信号を記録用、或いは記録及びネットワーク出力用として出力する動作、低配信レートチャンネルの画像信号をネットワーク出力用として出力する動作、高配信レートチャンネルの画像信号をネットワーク出力用として出力する動作、及び低配信レートチャンネルの画像信号をネットワーク出力用として出力する動作が１／１５秒の周期で繰り返される。
【００５７】
図１８は、入力チャンネル数が６であって高配信レートチャンネルが３である場合の画像出力タイミングを表わしている。図示の如く、１／１５秒の周期の第１フィールド期間に、１チャンネルの画像信号が記録用として画像処理回路(17)に出力された後、第２フィールド期間に、１チャンネルの次フィールドの画像信号がネットワーク出力用として画像処理回路(17)に出力され、更に第３フィールド期間に、３チャンネルの画像信号がネットワーク出力用として画像処理回路(17)に出力された後、第４フィールド期間に、２チャンネルの画像信号がネットワーク出力用として画像処理回路(17)に出力される。この様に、１／１５秒の記録周期の第１フィールド期間に、３チャンネル以外の１つのチャンネルの画像信号が記録用として画像処理回路(17)に出力され、或いは３チャンネルの画像信号が記録用及びネットワーク出力用として画像処理回路(17)に出力される。そして、第２フィールド期間及び第４フィールド期間に、３チャンネル以外の１つのチャンネルの画像信号がネットワーク出力用として画像処理回路(17)に出力され、第３フィールド期間に、３チャンネルの画像信号がネットワーク出力用として画像処理回路(17)に出力される。この結果、１〜６チャンネルの画像信号が順次、１５ＦＰＳの記録レートでハードディスク装置に記録されると共に、３チャンネルの画像信号が他のチャンネルに比べて高い配信レートでネットワークに出力されることになる。
【００５８】
上述のタイミング１〜６チャンネルの画像信号を出力することによって、これら全てのチャンネルについて常に同一フィールドの画像信号がハードディスク装置に記録されることになる。従って、ハードディスク装置に記録されている画像信号を再生してモニタ装置に出力した場合に、モニタ画面に表示される画像が上下に振動することはない。
又、３チャンネルを含む全てのチャンネルについて、常に同一フィールドの画像信号がネットワークに出力されることになる。従って、ネットワークに出力された画像信号をモニタ装置に供給した場合に、モニタ画面に表示される画像が上下に振動することはない。
【００５９】
本発明に係る画像記録／送信装置(１)においては、記録レートが３０ＦＰＳに設定されている場合には、図１４に示す如く、高配信レートチャンネル(図１４の例では３チャンネル)以外の複数のチャンネルの画像信号は、各記録周期の第１フィールド期間に１つのチャンネルの画像信号をネットワークに送信することによって、複数回の記録周期で順次ネットワークに送信されるのに対し、高配信レートチャンネルの画像信号は、各記録周期の第２フィールド期間にネットワークに送信されるので、高配信レートチャンネルの画像信号は他のチャンネルの画像信号に比べて高い配信レートでネットワークに送信されることになる。
又、記録レートが２０ＦＰＳに設定されている場合には、図１６に示す如く、高配信レートチャンネル(図１６の例では３チャンネル)以外の複数チャンネルの画像信号は、１／１５秒の記録周期の第２フィールド期間、第４フィールド期間及び１／３０秒の記録周期の第２フィールド期間にそれぞれ１つのチャンネルの画像信号を送信することによって、複数回の記録周期で順次ネットワークに送信されるのに対し、高配信レートチャンネルの画像信号は、各記録周期の第３フィールド期間にネットワークに送信されるので、高配信レートチャンネルの画像信号は他のチャンネルの画像信号に比べて高い配信レートでネットワークに送信されることになる。
更に、記録レートが１５ＦＰＳに設定されている場合には、図１８に示す如く、高配信レートチャンネル(図１８の例では３チャンネル)以外の複数チャンネルの画像信号は、記録周期の第２フィールド期間及び第４フィールド期間にそれぞれ１つのチャンネルの画像信号を送信することによって、複数回の記録周期で順次ネットワークに送信されるのに対し、高配信レートチャンネルの画像信号は、各記録周期の第３フィールド期間にネットワークに送信されるので、高配信レートチャンネルの画像信号は他のチャンネルの画像信号に比べて高い配信レートでネットワークに送信されることになる。
【００６０】
尚、本発明の各部構成は上記実施の形態に限らず、特許請求の範囲に記載の技術的範囲内で種々の変形が可能である。
例えば、上記実施の形態においては、１つのチャンネルを高配信レートでネットワークに出力しているが、複数のチャンネルを高配信レートでネットワークに出力することも可能である。
図１９は、記録レートが１５ＦＰＳに設定されると共に３チャンネル及び５チャンネルが高配信レートチャンネルに設定されている場合のマルチプレクサ処理回路の画像出力タイミングを表わしており、この場合、記録周期の第３フィールド期間に、３チャンネルの画像信号と５チャンネルの画像信号がネットワーク出力用として画像処理回路(17)に交互に出力される。
【００６１】
又、上記実施の形態においては、記録レートが１５ＦＰＳに設定された場合、図１８に示す如く、記録周期の第２フィールド期間以降に、低配信レートチャンネル、高配信レートチャンネル、低配信レートチャンネルの順で画像信号をネットワーク出力用として出力しているが、高配信レートチャンネル、低配信レートチャンネル、高配信レートチャンネルの順でネットワーク出力用として出力する構成を採用することも可能である。但し、上記実施の形態においては、第１フィールド期間に、高配信レートチャンネルの画像信号を記録及びネットワーク出力用として出力しているが、上記構成においては記録用として出力される。かかる構成においても、常に同じフィールドの画像信号をネットワークに送信することが出来る。
更に、記録レートを１５ＦＰＳよりも低いレートに設定することも可能である。記録レートが１５ＦＰＳよりも低いレートに設定された場合には、記録レートが１５ＦＰＳに設定された場合と同様に、記録周期の第２フィールド期間以降に、低配信レートチャンネルの画像信号と高配信レートチャンネルの画像信号を交互にネットワークに送信することによって、常に同じフィールドの画像信号をネットワークに送信することが出来る。
【００６２】
更に又、本発明は、図１に示す如き監視システムに限らず、多チャンネル放送の画像信号を受信して記録媒体に記録すると共にネットワークに送信する画像記録／送信装置に実施することも可能である。
【図面の簡単な説明】
【００６３】
【図１】本発明を実施した監視システムの機器構成を表わす図である。
【図２】本発明に係る画像記録／送信装置の構成を表わすブロック図である。
【図３】上記画像記録／送信装置において実行される画像出力制御手続きの前半を表わすフローチャートである。
【図４】上記手続きの後半を表わすフローチャートである。
【図５】記録レートが６０ＦＰＳに設定されている場合の画像出力動作を説明する図である。
【図６】記録レートが３０ＦＰＳに設定されると共に通常送信モードが設定されている場合の画像出力動作を説明する図である。
【図７】記録レートが３０ＦＰＳに設定されると共に特殊送信モードが設定されている場合の画像出力動作を説明する図である。
【図８】記録レートが２０ＦＰＳに設定されると共に通常送信モードが設定されている場合の画像出力動作を説明する図である。
【図９】記録レートが２０ＦＰＳに設定されると共に特殊送信モードが設定されている場合の画像出力動作を説明する図である。
【図１０】記録レートが１５ＦＰＳに設定されると共に通常送信モードが設定されている場合の画像出力動作を説明する図である。
【図１１】記録レートが１５ＦＰＳに設定されると共に特殊送信モードが設定されている場合の画像出力動作を説明する図である。
【図１２】チャンネル数が６であって、記録レートが６０ＦＰＳに設定されている場合の画像出力タイミングを表わす図表である。
【図１３】チャンネル数が６であって、記録レートが３０ＦＰＳに設定されると共に通常送信モードが設定されている場合の画像出力タイミングを表わす図表である。
【図１４】チャンネル数が６であって、記録レートが３０ＦＰＳに設定されると共に３チャンネルが高配信レートチャンネルに設定されている場合の画像出力タイミングを表わす図表である。
【図１５】チャンネル数が６であって、記録レートが２０ＦＰＳに設定されると共に通常送信モードが設定されている場合の画像出力タイミングを表わす図表である。
【図１６】チャンネル数が６であって、記録レートが２０ＦＰＳに設定されると共に３チャンネルが高配信レートチャンネルに設定されている場合の画像出力タイミングを表わす図表である。
【図１７】チャンネル数が６であって、記録レートが１５ＦＰＳに設定されると共に通常送信モードが設定されている場合の画像出力タイミングを表わす図表である。
【図１８】チャンネル数が６であって、記録レートが１５ＦＰＳに設定されると共に３チャンネルが高配信レートチャンネルに設定されている場合の画像出力タイミングを表わす図表である。
【図１９】チャンネル数が６であって、記録レートが１５ＦＰＳに設定されると共に３チャンネル及び５チャンネルが高配信レートチャンネルに設定されている場合の画像出力タイミングを表わす図表である。
【図２０】チャンネル数が７であって、記録レートが６０ＦＰＳに設定されている場合の画像出力タイミングを表わす図表である。
【図２１】従来の監視システムの機器構成を表わす図である。
【図２２】従来の画像記録／送信装置の構成を表わすブロック図である。
【図２３】上記画像記録／送信装置において、記録レートが３０ＦＰＳに設定されている場合の画像出力タイミングを表わす図表である。
【符号の説明】
【００６４】
(１)  画像記録／送信装置
(11)  画像入力端子
(13)  ネットワーク出力端子
(14)  マルチプレクサ処理回路
(16)  第１マイクロコンピュータ
(17)  画像処理回路
(18)  ハードディスク装置
(19)  第２マイクロコンピュータ
【図１】
2007124165.tif 000003
【図２】
2007124165.tif 000004
【図３】
2007124165.tif 000005
【図４】
2007124165.tif 000006
【図５】
2007124165.tif 000007
【図６】
2007124165.tif 000008
【図７】
2007124165.tif 000009
【図８】
2007124165.tif 000010
【図９】
2007124165.tif 000011
【図１０】
2007124165.tif 000012
【図１１】
2007124165.tif 000013
【図１２】
2007124165.tif 000014
【図１３】
2007124165.tif 000015
【図１４】
2007124165.tif 000016
【図１５】
2007124165.tif 000017
【図１６】
2007124165.tif 000018
【図１７】
2007124165.tif 000019
【図１８】
2007124165.tif 000020
【図１９】
2007124165.tif 000021
【図２０】
2007124165.tif 000022
【図２１】
2007124165.tif 000023
【図２２】
2007124165.tif 000024
【図２３】
2007124165.tif 000025